(57)【要約】【課題】操作者が貨幣に直接手を触れずにカセットに収納された貨幣を内部に収納させることができるのでセキュリティを向上させることができ、またヒンジのついた扉を有するカセットにも対応することができる貨幣収納装置を提供する。【解決手段】貨幣収納装置１０、７０は、カセット５０、５１が装着される装着部１７、７６と、カセット５０、５１から取り出された貨幣を収納する収納部３２、８０と、施錠されたカセット５０、５１の扉５８を解錠し、収納部３２の開口の上で解錠された扉５８を開くカセット扉開放部２０、９０と、を備えている。【選択図】図８
2011138353.tif 000002
【特許請求の範囲】
【請求項１】
カセットから貨幣を取り出して内部に収納する貨幣収納装置であって、
開口面に扉が設けられた前記カセットが装着される装着部と、
前記カセットから取り出された貨幣を収納する収納部と、
施錠された前記カセットの扉を解錠し、前記収納部の開口の上で解錠された前記扉を開くカセット扉開放部と、
を備えたことを特徴とする貨幣収納装置。
【請求項２】
前記カセットは、当該カセットの開口面が下向きのときに、解錠された前記扉が自重により開くようになっていることを特徴とする請求項１記載の貨幣収納装置。
【請求項３】
前記装着部には前記カセットの開口面が下向きとなるよう前記カセットが装着されるようになっており、
前記カセット扉開放部は、前記収納部の開口の上に前記カセットの前記開口面が位置するよう、前記収納部または前記装着部の少なくとも一方を移動させる移動機構を有することを特徴とする請求項１または２記載の貨幣収納装置。
【請求項４】
前記カセットには、当該カセットの扉を解錠する錠部分が設けられており、前記カセット扉開放部には、前記カセットの前記錠部分に対応する鍵部分と、固定部分とが設けられており、前記鍵部分および前記固定部分のうち一方にはカム穴が設けられているとともに他方には前記カム穴に適合する突起部分が設けられており、前記カセットが移動したときに前記固定部分に対して前記鍵部分が前記カセットの移動方向に沿って移動することにより前記カム穴内で前記突起部分が相対的に移動し、このことにより前記鍵部分が前記固定部分に対して回転し、前記鍵部分が前記錠部分を回転させることにより前記カセットの扉の解錠が行われるようになっていることを特徴とする請求項３記載の貨幣収納装置。
【請求項５】
前記カセットが移動したときに前記鍵部分が前記カセットにより押圧されることにより前記固定部分に対して前記鍵部分が前記カセットの移動方向に沿って移動することを特徴とする請求項４記載の貨幣収納装置。
【請求項６】
前記カセット扉開放部には、前記カセットの移動方向に沿って延び、その一端が固定されるとともにその他端が前記鍵部分に取り付けられたバネが設けられており、前記カセットが移動したときに前記バネの反発力によって前記固定部分に対して前記鍵部分が前記カセットの移動方向に沿って移動することを特徴とする請求項４または５記載の貨幣収納装置。
【請求項７】
前記カセットには、貨幣として紙幣が収納されるようになっており、
前記カセットには、当該カセットに収納される紙幣が載せられるステージが内部に設けられており、前記カセットに紙幣が収納される際に当該カセットの内壁と前記ステージとの間で紙幣が挟まれて保持されるようになっており、
前記貨幣収納装置には、前記カセットが移動したときに当該カセットのステージを押圧することによりこのカセットの内壁と前記ステージとを離間させるステージ押圧機構が設けられており、前記ステージ押圧機構により前記カセットの内壁と前記ステージとが離間したときに当該カセットに収納された紙幣がこのカセットの内壁と前記ステージとの間に挟まれて保持された状態から解放されることを特徴とする請求項３乃至６のいずれか一項に記載の貨幣収納装置。
【請求項８】
前記装着部には前記カセットの開口面が横向きまたは上向きに装着されるようになっており、
前記カセット扉開放部は、前記収納部の開口の上に前記カセットの前記開口面が位置するよう、前記装着部を回転させる回転機構を有することを特徴とする請求項１または２記載の貨幣収納装置。
【請求項９】
前記カセットの扉は電気的に解錠可能な電気錠によりロックされており、前記カセット扉開放部は前記電気錠を解除することにより前記カセットの扉を解錠するようになっていることを特徴とする請求項１乃至３および８のうちいずれか一項に記載の貨幣収納装置。
【請求項１０】
前記カセットには、貨幣として紙幣が収納されるようになっており、
前記カセットには、当該カセットに収納される紙幣が載せられるステージが内部に設けられており、前記カセットに紙幣が収納される際に当該カセットの内壁と前記ステージとの間で紙幣が挟まれて保持されており、
前記ステージは電気的に駆動されて前記カセットの内壁から離間し、この際に前記カセットに収納された紙幣がこのカセットの内壁と前記ステージとの間に挟まれて保持された状態から解放されることを特徴とする請求項１乃至３、８および９のうちいずれか一項に記載の貨幣収納装置。
【請求項１１】
前記カセット扉開放部により扉が開いた前記カセットから自重により貨幣が落下して前記収納部に収納されるようになっていることを特徴とする請求項１乃至１０記載の貨幣収納装置。
【請求項１２】
前記カセットには、貨幣として紙幣が収納されるようになっており、
前記カセット扉開放部により前記カセットの扉が開かれたときにこのカセットに収納された紙幣を前記収納部側に押し出す押し出し部を更に備えていることを特徴とする請求項１乃至１１のいずれか一項に記載の貨幣収納装置。
【請求項１３】
前記装着部に装着された前記カセットに貨幣が収納されているか否かを検出する貨幣検出部を更に備えたことを特徴とする請求項１乃至１２のいずれか一項に記載の貨幣収納装置。
【発明の詳細な説明】
【技術分野】
【０００１】
本発明は、開口面に扉が設けられたカセットから貨幣を取り出して内部に収納する貨幣収納装置に関する。
【背景技術】
【０００２】
スーパーマーケットやコンビニエンスストア等の店舗において、レジ等から回収された紙幣や硬貨等の貨幣は、店員等により手動で計数されるか、または特許文献１に示すような売上金入金機により自動で計数されるようになっている。計数された貨幣は貨幣収納機に収納される。また、近年では、レジ等に釣銭機が設けられるようになり、この釣銭機により貨幣の機械的な管理が行われるようになっている。しかしながら、釣銭機から回収された貨幣は店員等が手で直接扱うため、セキュリティの面で好ましくないという問題がある。
【０００３】
特許文献２には、紙幣を収納するカセットから紙幣が送られ、この送られた紙幣を内部に収納する紙幣収納装置が開示されている。特許文献２に示すような紙幣収納装置では、当該紙幣収納装置にカセットを装着するとカセットの扉のロックが解除され、手動でカセットの底板を引き抜くとカセット内の紙幣が自重により落下するようになっている。そして、自重により落下した紙幣は、紙幣収納装置の内部に設けられた紙幣ステージ上に受けられ、この紙幣ステージが水平姿勢から垂直姿勢に回転することにより紙幣が紙幣収納装置の内部に落下して収納されるようになっている。
【０００４】
特許文献２に示すような紙幣収納装置では、下面側にシャッターが設けられたカセットが必要となるが、一般に用いられるカセットとしてはヒンジのついた扉と錠部分を有するカセットが多く、特許文献２に示すような紙幣収納装置はこのようなカセットに対応することができないという問題があった。
【先行技術文献】
【特許文献】
【０００５】
【特許文献１】特開平６−２６６９６３号公報
【特許文献２】特許第３６４０７５２号公報
【発明の概要】
【発明が解決しようとする課題】
【０００６】
本発明は、このような点を考慮してなされたものであり、操作者が貨幣に直接手を触れずにカセットに収納された貨幣を内部に収納させることができるのでセキュリティを向上させることができ、またヒンジのついた扉を有するカセットにも対応することができる貨幣収納装置を提供することを目的とする。
【課題を解決するための手段】
【０００７】
本発明は、カセットから貨幣を取り出して内部に収納する貨幣収納装置であって、開口面に扉が設けられた前記カセットが装着される装着部と、前記カセットから取り出された貨幣を収納する収納部と、施錠された前記カセットの扉を解錠し、前記収納部の開口の上で解錠された前記扉を開くカセット扉開放部と、を備えたことを特徴とする貨幣収納装置である。
【０００８】
このような貨幣収納装置によれば、装着部に装着されたカセットについて、店員等の操作者が扉に触れなくてもカセット扉開放部により扉を開くことができるので、操作者がカセット内の貨幣に手を触れることのないような状態でカセット内の貨幣が収納部に収納される。このため、上述のような貨幣収納装置では、セキュリティを向上させることができる。また、この貨幣収納装置では、ヒンジのついた扉を有するカセットにも対応することができる。
【０００９】
本実施の形態の貨幣収納装置においては、前記カセットは、当該カセットの開口面が下向きのときに、解錠された前記扉が自重により開くようになっていてもよい。この場合、解錠された扉を開くための機構を設置する必要がなくなり、装置の小型化を図ることができる。
【００１０】
本実施の形態の貨幣収納装置においては、前記装着部には前記カセットの開口面が下向きとなるよう前記カセットが装着されるようになっており、前記カセット扉開放部は、前記収納部の開口の上に前記カセットの前記開口面が位置するよう、前記収納部または前記装着部の少なくとも一方を移動させる移動機構を有していてもよい。
【００１１】
この際に、前記カセットには、当該カセットの扉を解錠する錠部分が設けられており、前記カセット扉開放部には、前記カセットの前記錠部分に対応する鍵部分と、固定部分とが設けられており、前記鍵部分および前記固定部分のうち一方にはカム穴が設けられているとともに他方には前記カム穴に適合する突起部分が設けられており、前記カセットが移動したときに前記固定部分に対して前記鍵部分が前記カセットの移動方向に沿って移動することにより前記カム穴内で前記突起部分が相対的に移動し、このことにより前記鍵部分が前記固定部分に対して回転し、前記鍵部分が前記錠部分を回転させることにより前記カセットの扉の解錠が行われるようになっていてもよい。
【００１２】
この場合、前記カセットが移動したときに前記鍵部分が前記カセットにより押圧されることにより前記固定部分に対して前記鍵部分が前記カセットの移動方向に沿って移動するようになっていてもよい。
【００１３】
また、前記カセット扉開放部には、前記カセットの移動方向に沿って延び、その一端が固定されるとともにその他端が前記鍵部分に取り付けられたバネが設けられており、前記カセットが移動したときに前記バネの反発力によって前記固定部分に対して前記鍵部分が前記カセットの移動方向に沿って移動するようになっていてもよい。
【００１４】
また、前記カセットには、貨幣として紙幣が収納されるようになっており、前記カセットには、当該カセットに収納される紙幣が載せられるステージが内部に設けられており、前記カセットに紙幣が収納される際に当該カセットの内壁と前記ステージとの間で紙幣が挟まれて保持されるようになっており、前記貨幣収納装置には、前記カセットが移動したときに当該カセットのステージを押圧することによりこのカセットの内壁と前記ステージとを離間させるステージ押圧機構が設けられており、前記ステージ押圧機構により前記カセットの内壁と前記ステージとが離間したときに当該カセットに収納された紙幣がこのカセットの内壁と前記ステージとの間に挟まれて保持された状態から解放されるようになっていてもよい。
【００１５】
本実施の形態の貨幣収納装置においては、前記装着部には前記カセットの開口面が横向きまたは上向きに装着されるようになっており、前記カセット扉開放部は、前記収納部の開口の上に前記カセットの前記開口面が位置するよう、前記装着部を回転させる回転機構を有していてもよい。
【００１６】
本実施の形態の貨幣収納装置においては、前記カセットの扉は電気的に解錠可能な電気錠によりロックされており、前記カセット扉開放部は前記電気錠を解除することにより前記カセットの扉を解錠するようになっていてもよい。
【００１７】
本実施の形態の貨幣収納装置においては、前記カセットには、貨幣として紙幣が収納されるようになっており、前記カセットには、当該カセットに収納される紙幣が載せられるステージが内部に設けられており、前記カセットに紙幣が収納される際に当該カセットの内壁と前記ステージとの間で紙幣が挟まれて保持されており、前記ステージは電気的に駆動されて前記カセットの内壁から離間し、この際に前記カセットに収納された紙幣がこのカセットの内壁と前記ステージとの間に挟まれて保持された状態から解放されるようになっていてもよい。
【００１８】
本実施の形態の貨幣収納装置においては、前記カセット扉開放部により扉が開いた前記カセットから自重により貨幣が落下して前記収納部に収納されるようになっていてもよい。
【００１９】
また、前記カセットには、貨幣として紙幣が収納されるようになっており、前記カセット扉開放部により前記カセットの扉が開かれたときにこのカセットに収納された紙幣を前記収納部側に押し出す押し出し部を更に備えていてもよい。このことにより、カセットに収納された紙幣を確実に収納部側に押し出すことができる。
【００２０】
本実施の形態の貨幣収納装置においては、前記装着部に装着された前記カセットに貨幣が収納されているか否かを検出する貨幣検出部を更に備えていてもよい。このことにより、カセットから紙幣が落下せずに残っている場合でも、カセットに残っている紙幣を確実に検出することができる。
【発明の効果】
【００２１】
本発明の貨幣収納装置によれば、操作者が貨幣に直接手を触れずにカセットに収納された貨幣を内部に収納させることができるのでセキュリティを向上させることができ、またヒンジのついた扉を有するカセットにも対応することができる。
【図面の簡単な説明】
【００２２】
【図１】本発明の一の実施の形態による紙幣収納装置の外観を示す斜視図である。
【図２】図１に示す紙幣収納装置の内部構成を示す斜視図である。
【図３】図２に示す紙幣収納装置の内部構成を拡大して示す拡大斜視図である。
【図４】図３に示す固定部材、鍵部材およびバネを分解して示す分解斜視図である。
【図５Ａ】紙幣を収納するためのカセットの外観を示す斜視図である。
【図５Ｂ】図５Ａに示すカセットの扉が開いたときの状態を示す斜視図である。
【図６】図５Ａ等に示すカセットを裏側から見たときのカセット内部の構成を示す斜視図である。
【図７】図１等に示す紙幣収納装置に、図５Ａ等に示すカセットを装着するときの動作を示す斜視図である。
【図８】図５Ａ等に示すカセットから紙幣を取り出して図１等に示す紙幣収納装置の内部に収納する際の動作を説明するための構成図である。
【図９】図８に示すような構成図において、カセットが紙幣収納装置の筐体の開口部の奥側の位置にあるときの状態を示す図である。
【図１０Ａ】図８に示すような構成図において、カセットが図９に示すような状態から収納部の開口の真上の位置まで移動したときの状態を示す図である。
【図１０Ｂ】カセットの扉が開かれたときにこのカセットに収納された紙幣を収納部側に押し出す押し出し部が更に設けられた例を示す構成図である。
【図１１】（ａ）〜（ｃ）は、収納部の開口を封止する方法を示す説明図である。
【図１２】（ａ）は、本発明の他の実施の形態による紙幣収納装置の外観を示す斜視図であり、（ｂ）は、（ａ）に示す紙幣収納装置の内部構成を示す斜視図であり、（ｃ）は、（ｂ）に示す紙幣収納装置の装着部にカセットを装着させたときの状態を示す斜視図であり、（ｄ）は、（ｃ）に示す紙幣収納装置の装着部を回転させたときの状態を示す斜視図である。
【図１３】（ａ）は、図１２（ｄ）に示す紙幣収納装置の装着部を更に回転させ、カセットの開口面を下向きとしたときの状態を示す斜視図であり、（ｂ）は、（ａ）に示す紙幣収納装置の装着部に装着されたカセットの扉を開いたときの状態を示す斜視図であり、（ｃ）は、（ｂ）に示すような紙幣収納装置においてカセットから収納部に紙幣を収納させた後、装着部を回転させたときの状態を示す斜視図であり、（ｄ）は、（ｃ）に示す紙幣収納装置の装着部を更に回転させ、カセットの開口面を上向きとしたときの状態を示す斜視図である。
【発明を実施するための形態】
【００２３】
以下、図面を参照して本発明の一の実施の形態について説明する。図１乃至図１１は、本実施の形態に係る紙幣収納装置を示す図である。なお、本実施の形態による紙幣収納装置は、開口面に扉が設けられたカセットから紙幣を取り出して内部に収納するものである。
【００２４】
まず、本実施の形態による紙幣収納装置１０の構成について図１乃至図３を用いて説明する。図１に示すように、本実施の形態による紙幣収納装置１０は、略直方体形状の筐体１２を備えており、この筐体１２には、後述するカセット５０を筐体１２の外部から内部に収容するための開口部１６が設けられている。より具体的には、筐体１２の内部にはカセット５０が収容される内部空間が設けられており、開口部１６を介してカセット５０をこの内部空間に収容することができるようになっている。また、紙幣収納装置１０において、紙幣の収納を行う収納部３２（後述）が筐体１２内に収容されている。また、筐体１２の下部の側面には扉１４が設けられており、この扉１４を開くことにより筐体１２内に収容された収納部３２を取り出すことができるようになっている。扉１４には、当該扉１４を開くための取っ手１４ａが設けられている。なお、この取っ手１４ａには錠部分１４ｂが設けられており、回収業者等の特定の管理権限を有する者のみが扉１４の解錠を行うことができるようになっている。
【００２５】
また、図１に示すように、筐体１２には、上面１２ａおよび前面上部１２ｂが設けられている。ここで、筐体１２の上面１２ａにはハンドル部１８が取り付けられている。店員等の操作者がこのハンドル部１８を回すことにより、筐体１２内に設けられた装着部１７（後述）を移動させることができるようになっている。また、筐体１２の前面上部１２ｂには、紙幣収納装置１０自体を搬送するための把持部１３が設けられており、店員等の操作者がこの把持部１３を把持して紙幣収納装置１０自体を搬送するようになっている。
【００２６】
次に、紙幣収納装置１０の筐体１２の内部に収容されるカセット５０の構成について図５Ａ、図５Ｂおよび図６を用いて詳細に説明する。
【００２７】
図５Ａに示すように、カセット５０は、略直方体形状の筐体５２と、筐体５２の側面に設けられた把持部５４と、筐体５２の外部から内部に紙幣を投入するための紙幣入口５６とを備えている。ここで、店員等の操作者は把持部５４を把持することによりカセット５０の持ち運びを行うことができるようになっている。また、紙幣入口５６を介して筐体５２の内部に紙幣が投入されるようになっている。まず、図５Ｂに示すように、筐体５２の内部にはステージ６４が設けられており、紙幣入口５６を介して筐体５２の内部に投入された紙幣はステージ６４上に集積されるようになっている。ここで、ステージ６４の下方には圧縮されたバネ（図示せず）が設けられており、このバネの反発力によってステージ６４には図５Ｂにおける上方向への力が付勢されるようになっている。このため、ステージ６４上に集積された紙幣は、ステージ６４と、このステージ６４の上方にあるカセット５０の内壁との間に挟まれて保持されるようになっている。
【００２８】
また、筐体５２の側面には、筐体５２内の紙幣の束を筐体５２の外部に排出するための開口が設けられており、この開口には扉５８が設けられている。具体的には、扉５８はカセット５０の筐体５２に対してヒンジにより接続されており、このヒンジを中心として扉５８は筐体５２の外方に回転することができるようになっている。通常時は扉５８は閉じられており、筐体５２の内部に投入された紙幣は筐体５２の外部に出すことができないようになっている。カセット５０内に収納された紙幣を取り出すためには、図５Ｂに示すように扉５８を開き、かつステージ６４を下方に付勢してステージ６４上の紙幣をこのステージ６４とカセット５０の内壁との間に挟まれて保持された状態から解放しなければならない。
【００２９】
また、図５Ａに示すように、カセット５０の筐体５２には、カセット５０の扉５８を解錠する錠部分６０が設けられている。そして、後述する鍵部材２０の鍵部分２０ｂにより錠部分６０を回転させることにより、扉５８の解錠が行われる。また、カセット５０の筐体５２には、後述するステージ押し下げ用棒２６が通過する貫通穴６２が設けられている。また、図６に示すように、筐体５２の内部には、ステージ６４に接続されたステージ押し下げ部６６が設けられている。そして、貫通穴６２を通過して筐体５２内に挿入されたステージ押し下げ用棒２６がステージ押し下げ部６６を図６における下方に押圧することによりステージ６４が図５Ｂに示す状態から下方（矢印方向）に押し下げられるようになっている。
【００３０】
次に、図１に示す紙幣収納装置１０の上部の内部構成について図２乃至図４を用いて説明する。ここで、図２は、紙幣収納装置１０の内部構成をより明確に示すために、図１に示す紙幣収納装置１０から上面１２ａ、前面上部１２ｂ、および開口部１６の近傍に設けられた側面１２ｃを取り除いたものである。また、図３は、図２に示す紙幣収納装置１０から側面１２ｄを更に取り除いたものである。
【００３１】
図２および図３に示すように、紙幣収納装置１０の上部の内部には、水平方向に延びるよう設けられた平板部材２１が設けられている。この平板部材２１には開口部２８が設けられており、開口部２８は筐体１２内に設けられた収納部３２につながっている（図８参照）。また、紙幣収納装置１０の上部の内部には、開口部１６を介して筐体１２の外部から内部に収容されたカセット５０が装着される装着部１７が設けられている。装着部１７は、カセット５０を覆うような略直方体形状の枠体からなり、この枠体の上面、前面（開口部１６側の面）、および下面の一部は開口するようになっている。この装着部１７は、平板部材２１上で水平方向に移動するようになっている。より詳細には、前述したハンドル部１８を店員等の操作者が回すことにより、装着部１７を、開口部１６の奥側の箇所（図２、図３に示すような位置）と、開口部２８の真上の箇所との間で直線状に（すなわち図２等においてほぼ左右方向に）往復移動させることができるようになっている。また、カセット５０が装着された装着部１７が開口部１６の奥側の箇所から開口部２８の真上の箇所まで移動し、このカセット５０の扉５８が開くことにより、カセット５０内の紙幣が開口部２８を介して自重により収納部３２に送られるようになっている。
【００３２】
また、図３および図４に示すように、平板部材２１の上面には、鉛直方向に延びる支持部材３０が取り付けられており、この支持部材３０には固定部材２２が取り付けられている。固定部材２２は細長い円柱形状のものからなり、この固定部材２２はカセット５０の移動方向に延びるようになっている。また、固定部材２２の近傍には鍵部材２０が設けられている。ここで、鍵部材２０は細長い円筒形状のものからなり、この鍵部材２０の中空部分に固定部材２２が挿入されるようになっている。また、鍵部材２０もカセット５０の移動方向に延びるようになっている。また、図４に詳細に示すように、鍵部材２０におけるカセット５０側の先端には鍵部分２０ｂが設けられている。そして、カセット５０の錠部分６０に鍵部分２０ｂが係合した状態で鍵部材２０が回転することにより、カセット５０の錠部分６０が回転させられるようになっている。
【００３３】
また、図４に示すように、鍵部材２０にはカム穴２０ａが設けられており、一方、固定部材２２にはカム穴２０ａに適合する突起部分２２ａが設けられている。より詳細には、カム穴２０ａは、カセット５０の移動方向（図４における左右方向）と平行に延びる部分と、カセット５０の移動方向に対して傾斜した部分とを有している。そして、固定部材２２の突起部分２２ａが鍵部材２０のカム穴２０ａに適合されたときに、このカム穴２０ａにおけるカセット５０の移動方向に対して傾斜した部分を突起部分２２ａが相対的に移動したときに、固定部材２２に対して鍵部材２０が回転するようになっている。
【００３４】
また、図２および図３に示すように、鍵部材２０および固定部材２２を覆うよう、バネ２４が設けられている。このバネ２４の一端は支持部材３０に接続されており、バネ２４の他端は鍵部材２０の外周面に取り付けられている。ここで、図２や図３に示すような状態において、バネ２４は圧縮した状態にあり、このバネ２４の反発力によって鍵部材２０には支持部材３０から遠ざかるような力が常に付勢されるようになっている。
【００３５】
また、図２乃至図４に示すように、支持部材３０にはステージ押し下げ用棒２６が取り付けられている。このステージ押し下げ用棒２６は、固定部材２２や鍵部材２０と同様に、カセット５０の移動方向に延びるようになっている。ここで、カセット５０が装着された装着部１７が開口部１６の奥側の箇所（図２、図３に示すような位置）から開口部２８の真上の箇所まで移動したときに、ステージ押し下げ用棒２６の先端部分がカセット５０の貫通穴６２を介して筐体５２内に挿入され、この先端部分がステージ押し下げ部６６を図６における下方に押圧することとなる。このことにより、ステージ押し下げ部６６に接続されたステージ６４が図５Ｂに示す状態から下方（矢印方向）に押し下げられ、ステージ６４上の紙幣がこのステージ６４とカセット５０の内壁との間に挟まれて保持された状態から解放される。
【００３６】
上述のような鍵部材２０、固定部材２２、バネ２４、ステージ押し下げ用棒２６、支持部材３０等により、施錠されたカセット５０の扉５８を解錠し、収納部３２の開口の上で解錠された扉５８を開くためのカセット扉開放部が構成されている。
【００３７】
図８は、図５Ａ等に示すカセット５０から紙幣を取り出して図１等に示す紙幣収納装置１０の内部に収納する際の動作を説明するための構成図である。図８に示すように、平板部材２１に設けられた開口部２８の下方には、紙幣の収納を行う収納部３２が設けられている。より詳細には、収納部３２は、パウチ等の運搬用ケースからなり、この収納部３２は上方に開口しており、カセット５０から開口部２８を介して自重により落下した紙幣の束は収納部３２の開口を介してこの収納部３２に収納されるようになっている。なお、図８において、カセット５０は実線で示す位置と二点鎖線で示す位置との間で、平板部材２１上で往復移動するようになっている。ここで、図８における二点鎖線で示されるカセット５０は、図１に示す筐体１２の開口部１６の奥側の位置にあるときの状態を示す。
【００３８】
パウチ等の運搬用ケースからなる収納部３２について、図１１を用いてより詳細に説明する。図１１（ａ）に示すように、収納部３２は、収納部本体３２ａと、収納部３２の開口近傍において収納部本体３２ａの内側に設けられた粘着部分３２ｂとを有している。粘着部分３２ｂにはシール台紙３２ｃが貼られており、この粘着部分３２ｂは露出しないようになっている。収納部３２に紙幣Ｂが収納された後、この収納部３２の開口の封止を行う際には、図１１（ａ）の矢印に示すように、まず粘着部分３２ｂからシール台紙３２ｃを剥がす。次に、この粘着部分３２ｂを挟むよう収納部３２の開口近傍における一対の収納部本体３２ａを挟圧する。このことにより、収納部３２の開口近傍における一対の収納部本体３２ａが粘着部分３２ｂにより接着され、収納部３２の開口が封止される。
【００３９】
また、収納部３２の開口の封止を行う方法として、図１１（ａ）に示すような粘着部分３２ｂを用いる代わりに、図１１（ｂ）（ｃ）に示すような方法を用いてもよい。具体的には、収納部３２に紙幣Ｂが収納された後、この収納部３２の開口の封止を行う際に、収納部本体３２ａの各端部３２ｄを紙幣収納装置１０の筐体１２側に固定する。そして、例えば表面層がゴム等から構成される一対のローラ３３により収納部本体３２ａにおける各端部３２ｄ近傍の箇所を挟んで保持し、固定された各端部３２ｄから収納部本体３２ａを引きちぎるように一対のローラ３３をそれぞれ図１１（ｃ）の矢印に示すように回転させる。この際に、一対のローラ３３による挟圧により収納部本体３２ａの開口近傍が接着され、収納部３２の開口が封止される。
【００４０】
また、図２等に示すように、装着部１７には、当該装着部１７に装着されたカセット５０に紙幣が収納されているか否かを検出する紙幣検出センサ２３が設けられている。具体的には、紙幣検出センサ２３は、装着部１７にカセット５０が装着されたときにこのカセット５０を挟むよう設けられた発光部分２３ａおよび受光部分（図示せず）から構成されており、また、カセット５０の筐体５２およびステージ６４には、発光部分２３ａから発せられた光が通過する穴（図示せず）がそれぞれ形成されている。そして、装着部１７に装着されたカセット５０に紙幣が収納されていないときには、発光部分２３ａから発せられた光が、カセット５０の筐体５２およびステージ６４にそれぞれ形成された穴を通過して、受光部分に到達するようになっている。一方、装着部１７に装着されたカセット５０に紙幣が収納されているときには発光部分２３ａから発せられた光がカセット５０内の紙幣により遮断され、受光部分に到達することはなく、このことにより紙幣検出センサ２３は、装着部１７に装着されたカセット５０に紙幣が収納されていることを検出するようになっている。
【００４１】
次に、このような構成からなる紙幣収納装置１０の動作について、以下に説明する。
【００４２】
まず、店舗等に設けられた釣銭機等の貨幣入出金機（図示せず）に収容されたカセット５０が店員等によりこの貨幣入出金機から取り出される。この際に、カセット５０には紙幣が収納されている。より詳細には、カセット５０の筐体５２内において紙幣の束がステージ６４上に集積されており、この紙幣の束はステージ６４とこのステージ６４の上方にあるカセット５０の内壁との間で挟まれて保持されている。また、貨幣入出金機から取り出されたカセット５０は、その扉５８を開くことができないような状態となっており、店員等はカセット５０に収納された紙幣を取り出すことができないようになっている。
【００４３】
次に、店員等により貨幣入出金機から紙幣収納装置１０にカセット５０が運搬される。そして、図７に示すように、店員等は、紙幣収納装置１０の筐体１２に設けられた開口部１６を介して、筐体１２内に設けられた内部空間にカセット５０を収容する。この際に、カセット５０の開口面（扉５８が設けられた面）が下向きとなるよう、カセット５０を筐体１２内に収容する。開口部１６を介して筐体１２内に設けられた内部空間に収容されたカセット５０は、この開口部１６の奥側の箇所に設けられた装着部１７に装着される。図９に、開口部１６の奥側の箇所に設けられた装着部１７に装着されたときのカセット５０の位置を示す。図９に示すように、カセット５０の開口面（扉５８が設けられた面）が下向きとなるよう、カセット５０は装着部１７に装着される。
【００４４】
そして、店員等の操作者は、筐体１２の上面１２ａに設けられたハンドル部１８を回す。このことにより、装着部１７は、図２および図３に示すような位置から、開口部２８の真上の位置に移動させられる。また、装着部１７に装着されたカセット５０は、図８における二点鎖線で示す位置から実線で示す位置に移動する。ここで、カセット５０が図８における二点鎖線で示す位置から実線で示す位置に移動する間に、このカセット５０は鍵部材２０に接触し、この鍵部材２０の鍵部分２０ｂがカセット５０の錠部分６０に係合する。そして、鍵部材２０に接触した後カセット５０が更に移動すると、カセット５０は鍵部材２０を支持部材３０側に押圧する。このような押圧は、バネ２４による反発力に抗して行われる。また、カセット５０が鍵部材２０を支持部材３０側に押圧すると、固定部材２２に対して鍵部材２０が支持部材３０側に移動することとなり、この固定部材２２に設けられた突起部分２２ａが鍵部材２０のカム穴２０ａに沿って相対的に移動する。ここで、鍵部材２０のカム穴２０ａにおけるカセット５０の移動方向に対して傾斜した部分を、固定部材２２の突起部分２２ａが相対的に移動したときに、固定部材２２に対して鍵部材２０が回転する。このことにより、鍵部材２０の先端に設けられた鍵部分２０ｂも回転し、この鍵部分２０ｂが錠部分６０を回転させ、扉５８を解錠する。解錠された扉５８は自重により図８の矢印方向に移動し、扉５８はカセット５０から開口部２８を通って下方に開くこととなる。
【００４５】
また、カセット５０が図８における二点鎖線で示す位置から実線で示す位置に移動する間に、支持部材３０に取り付けられたステージ押し下げ用棒２６の先端部分がカセット５０の貫通穴６２を介して筐体５２内に挿入され、この先端部分がステージ押し下げ部６６を図８における右側に押圧する。このことにより、ステージ押し下げ部６６は図６における下方に押圧され、ステージ押し下げ部６６に接続されたステージ６４が図５Ｂに示す状態から下方（矢印方向）に押し下げられる。このようにして、ステージ６４上の紙幣の束Ｂがこのステージ６４とカセット５０の内壁との間に挟まれて保持された状態から解放される（図８参照）。ステージ６４とカセット５０の内壁との間に挟まれて保持された状態から解放された紙幣の束Ｂは、自重により下方に落下し、開口部２８を介して収納部３２に収納される。図１０Ａは、装着部１７が、平板部材２１に設けられた開口部２８の真上の位置に移動し、この装着部１７に装着されたカセット５０から紙幣の束Ｂが自重により落下して収納部３２に収納されるときの状態を示す。カセット５０から収納部３２に紙幣が移されると、カセット５０は空の状態となる。この際に、紙幣検出センサ２３は、カセット５０が空の状態になったことを検出する。
【００４６】
その後、店員等の操作者がハンドル部１８を逆方向に回す。このことにより、装着部１７は、開口部２８の真上の位置から図２および図３に示すような位置に移動させられる。また、装着部１７に装着されたカセット５０は、図８における実線で示す位置から二点鎖線で示す位置に移動する。この際に、カセット５０の扉５８は平板部材２１に衝突し、この平板部材２１の上面に沿うようヒンジを中心として回転するので、扉５８は自動的に閉じられることとなる。また、カセット５０が図８における実線で示す位置から二点鎖線で示す位置に移動する間に、圧縮されたバネ２４の反発力により、鍵部材２０はカセット５０側に押圧される。このため、カセット５０が移動する間、鍵部材２０もカセット５０と一体的に移動し、鍵部材２０の鍵部分２０ｂはカセット５０の錠部分６０に係合し続ける。この際に、固定部材２２に対して鍵部材２０がカセット５０側に移動することとなり、この固定部材２２に設けられた突起部分２２ａが鍵部材２０のカム穴２０ａに沿って相対的に移動する。そして、鍵部材２０のカム穴２０ａにおけるカセット５０の移動方向に対して傾斜した部分を、固定部材２２の突起部分２２ａが相対的に移動したときに、固定部材２２に対して鍵部材２０が回転する。このことにより、鍵部材２０の先端に設けられた鍵部分２０ｂも回転し、この鍵部分２０ｂが錠部分６０を回転させ、扉５８を施錠する。
【００４７】
筐体１２の開口部１６の奥側の位置まで装着部１７が移動させられると、店員等の操作者は開口部１６を介して空のカセット５０を筐体１２の外部に取り出す。このようにして、カセット５０内の紙幣を紙幣収納装置１０に収納させる一連の動作が終了する。
【００４８】
一方、店員等とは管理権限の異なる回収業者等は、紙幣収納装置１０内の収納部３２を回収することができるようになっている。より具体的には、回収業者等の操作者は、取っ手１４ａに設けられた錠部分１４ｂに対応する鍵を有しており、このような鍵により錠部分１４ｂを回転させることによって、扉１４の解錠を行う。このようにして、回収業者等の操作者は扉１４を開けて筐体１２内にアクセスすることができるようになり、筐体１２内に設けられた収納部３２を回収することとなる。また、回収業者等の操作者は、紙幣が収納された収納部３２を回収したときに、空の収納部３２を筐体１２内に設置する。
【００４９】
以上のように本実施の形態の紙幣収納装置１０によれば、カセット５０が装着される装着部１７と、カセット５０から取り出された紙幣を収納する収納部３２と、施錠されたカセット５０の扉５８を解錠し、収納部３２の開口の上で解錠された扉５８を開くカセット扉開放部（鍵部材２０、ステージ押し下げ用棒２６等）と、を備えている。そして、装着部１７に装着されたカセット５０について、店員等の操作者が扉５８に触れなくても、カセット扉開放部により扉５８を開くことができるので、操作者がカセット５０内の紙幣に手を触れることのないような状態でカセット５０内の紙幣が収納部３２に収納される。このため、本実施の形態の紙幣収納装置１０では、セキュリティを向上させることができる。また、この紙幣収納装置１０では、ヒンジのついた扉５８と錠部分６０を有するカセットにも対応することができる。
【００５０】
また、本実施の形態の紙幣収納装置１０では、図８等に示すように、カセット５０は、当該カセット５０の開口面（扉５８が設けられた面）が下向きのときに、解錠された扉５８が自重により開くようになっている。このため、解錠された扉５８を開くための機構を設置する必要がなくなり、装置の小型化を図ることができる。
【００５１】
また、装着部１７にはカセット５０の開口面が下向きとなるようカセット５０が装着されるようになっている。そして、カセット扉開放部は、図８等に示すように、収納部３２の開口の上にカセット５０の開口面が位置するよう、装着部１７を移動させる移動機構を有している。具体的には、ハンドル部１８等によりこのような移動機構が構成される。
【００５２】
また、本実施の形態の紙幣収納装置１０では、カセット５０には、当該カセット５０の扉５８を解錠する錠部分６０が設けられている。また、カセット扉開放部は、カセット５０の錠部分５８に対応する鍵部材２０と、固定部材２２とから構成されている。そして、鍵部材２０にはカム穴２０ａが設けられているとともに固定部材２２にはカム穴２０ａに適合する突起部分２２ａが設けられており、カセット５０が移動したときに固定部材２２に対して鍵部材２０がカセット５０の移動方向に沿って移動することによりカム穴２０ａ内で突起部分２２ａが相対的に移動するようになっている。このことにより鍵部材２０が固定部材２２に対して回転し、鍵部材２０に設けられた鍵部分２０ｂが錠部分６０を回転させることによりカセット５０の扉５８の解錠が行われるようになっている。
【００５３】
より詳細には、装着部１７が筐体１２の開口部１６の奥側の箇所から平板部材２１の開口部２８の真上の箇所に移動させられ、カセット５０が図８における左方向に移動したときに、鍵部材２０がカセット５０により押圧されることにより固定部材２２に対して鍵部材２０がカセット５０の移動方向に沿って移動するようになっている。また、カセット５０の移動方向に沿って延び、その一端が支持部材３０に固定されるとともにその他端が鍵部材２０に取り付けられたバネ２４が収縮した状態で設けられている。そして、装着部１７が平板部材２１の開口部２８の真上の箇所から筐体１２の開口部１６の奥側の箇所に移動させられ、カセット５０が図８における右方向に移動したときに、バネ２４の反発力によって固定部材２２に対して鍵部材２０がカセット５０の移動方向に沿って移動するようになっている。
【００５４】
また、本実施の形態の紙幣収納装置１０では、カセット５０には、当該カセット５０に収納される紙幣が載せられるステージ６４が内部に設けられており、カセット５０に紙幣が収納される際に当該カセット５０の内壁とステージ６４との間で紙幣が挟まれて保持されるようになっている（図９参照）。そして、紙幣収納装置１０には、カセット５０が移動したときに当該カセット５０のステージ６４に接続されたステージ押し下げ部６６を押圧することによりこのカセット５０の内壁とステージ６４とを離間させるステージ押し下げ用棒２６が設けられており、ステージ押し下げ用棒２６によりカセット５０の内壁とステージ６４とが離間したときに当該カセット５０に収納された紙幣がこのカセットの内壁とステージ６４との間に挟まれて保持された状態から解放されるようになっている。
【００５５】
また、本実施の形態の紙幣収納装置１０では、カセット扉開放部により扉５８を開いたカセット５０から自重により紙幣が落下して収納部３２に収納されるようになっている。また、本実施の形態の紙幣収納装置１０では、装着部１７に装着されたカセット５０に紙幣が収納されているか否かを検出する紙幣検出センサ２３が設けられている。
【００５６】
なお、本実施の形態による紙幣収納装置１０は、上記の態様に限定されるものではなく、様々の変更を加えることができる。
【００５７】
例えば、収納部３２の開口の上にカセット５０の開口面（扉５８が設けられた面）を位置させるにあたり、装着部１７を移動させる代わりに、収納部３２自体を移動させ、この収納部３２をカセット５０の開口面の真下の箇所に位置させてもよい。
【００５８】
また、図２乃至図４に示すような例では、鍵部材２０にカム穴２０ａを設けるとともに固定部材２２に突起部分２２ａを設けるようにしているが、固定部材２２にカム穴を設け、このカム穴に適合する突起部分を鍵部材２０に設けるようにしてもよい。
【００５９】
また、図５Ａ、図５Ｂおよび図６に示すようなカセット５０では、カセット５０の扉５８は錠部分６０によりロックされているが、代わりに扉５８をモータやソレノイドで駆動するデッドボルトを有する本締錠や電磁石により吸着する電磁錠などの電気錠によりロックし、紙幣収納装置１０のカセット扉開放部は電気錠等に解錠信号を送って解錠することによりカセット５０の扉５８を解錠するようになっていてもよい。
【００６０】
また、図５Ａ、図５Ｂおよび図６に示すようなカセット５０では、ステージ押し下げ用棒２６によりステージ押し下げ部６６が押し下げられることによってステージ６４が移動させられるようになっているが、代わりにステージ６４がモータ等の電動のアクチュエータ（図示せず）で昇降するようになっていてもよい。この場合には、開口部２８の真上の位置に装着部１７が移動させられたときに、ステージ６４が電動のアクチュエータにより図５Ｂに示す状態から下方に移動し、このステージ６４はカセット５０の内壁から離間することとなる。このようにして、カセット５０に収納された紙幣がこのカセットの内壁とステージ６４との間に挟まれて保持された状態から解放される。
【００６１】
また、図１乃至図１１に示すような紙幣収納装置１０では、移動機構はハンドル部１８等により構成されており、店員等の操作者がハンドル部１８を手動で操作することにより装着部１７が移動するようになっているが、このような例に限定されることはない。例えばカセット５０が装着部１７に装着されると装着部１７が自動的に移動するようになっていてもよい。また、筐体１２の上面や前面に操作ボタンが設けられており、カセット５０が装着部１７に装着された後に店員等の操作者が操作ボタンを押下することにより装着部１７が自動的に移動するようになっていてもよい。
【００６２】
また、図１０Ｂに示すように、装着部１７に装着されたカセット５０の扉５８が開かれたときにこのカセット５０に収納された紙幣を収納部３２側に押し出すような押し出し部３６が更に設けられていてもよい。このような押し出し部３６は、カセット５０が平板部材２１の開口部２８の真上の箇所以外の位置にあるときには、紙幣Ｂが収納されるべき領域から例えば上方に退避している。一方、カセット５０が平板部材２１の開口部２８の真上の位置に到達すると、押し出し部３６は自動的に下方に移動し、ステージ６４上にある紙幣Ｂを下方に押し出し、カセット５０から収納部３２への紙幣の移動を促進するようになっている。
【００６３】
次に、図１２および図１３を用いて、本発明による他の実施の形態の紙幣収納装置について説明する。この実施の形態の紙幣収納装置では、装着部にはカセットの開口面が横向きまたは上向きに装着されるようになっており、収納部の開口の上にカセットの開口面が位置するよう、装着部を回転させるようになっている。
【００６４】
まず、本発明による他の実施の形態の紙幣収納装置７０の構成について図１２（ａ）（ｂ）を用いて説明する。
【００６５】
図１２（ａ）（ｂ）に示すように、紙幣収納装置７０は、略直方体形状の筐体７２を備えており、筐体７２内には、紙幣の収納を行う収納部８０が収容されている。なお、図１２（ｂ）は、紙幣収納装置７０の内部構成をより明確に示すために、図１２（ａ）に示す紙幣収納装置７０から筐体７２の前面７２ａを取り除いたものである。また、筐体７２の下部の側面には扉７４が設けられており、この扉７４を開くことにより筐体７２内に収容された収納部８０を取り出すことができるようになっている。扉７４には、当該扉７４を開くための取っ手７４ａが設けられている。また、扉７４には錠部分７４ｂが設けられており、回収業者等の特定の管理権限を有する者のみが扉７４の解錠を行うことができるになっている。
【００６６】
また、筐体７２の上面は開口しており、この開口部分に装着部７６が挿入されている。より詳細には、図１２（ａ）（ｂ）に示すように、装着部７６は、その断面が半円であるような円筒形状（ドラム形状）のものからなり、この装着部７６には開口が形成されており、この開口を介して装着部７６にカセット５１が上方から装着されるようになっている。より詳細には、装着部７６の内周面には支持部材（図示せず）が設けられており、この支持部材にカセット５１が取り付けられて支持されるようになっている。また、装着部７６は軸７６ａを中心として回転するよう筐体７２に支持されている。また、装着部７６の側面にはハンドル部７８が設けられており、操作者はこのハンドル部７８を回すことにより軸７６ａを中心として装着部７６を回転させることができるようになっている。図１２（ａ）（ｂ）では装着部７６の開口は上向きとなっているが、軸７６ａを中心として装着部７６を回転させることにより、装着部７６の開口を下向き等の他の向きにすることができるようになっている。
【００６７】
また、図１２（ｂ）に示すように、筐体７２の内部において装着部７６の下方には水平方向に延びる平板部材８１が設けられており、収納部８０は平板部材８１の下方に設置されている。収納部８０は、図１乃至図１１、とりわけ図１１に示す収納部３２と略同一の構成となっている。また、平板部材８１における収納部８０の開口の上方の位置には開口部７９が形成されており、カセット５１から排出された紙幣はこの開口部７９を介して収納部８０に収納されるようになっている。
【００６８】
図１２および図１３に示すような紙幣収納装置７０に用いられるカセット５１は、図１乃至図１１、とりわけ図５Ａ、図５Ｂおよび図６に示すようなカセット５０とほぼ同様の構成のものであるが、以下に示す点で両者は相違するようになっている。すなわち、図１２および図１３に示すような紙幣収納装置７０に用いられるカセット５１は、その扉５８が電気錠によりロックされるようになっている。また、カセット５１に設けられるステージ６４は、モータ等の電動のアクチュエータにより昇降が行われるようになっている。また、カセット５１には、錠部分６０、貫通穴６２およびステージ押し下げ部６６が設けられていない。
【００６９】
また、図１２（ｂ）に示すように、装着部７６には、当該装着部７６に装着されたカセット５１の扉５８の電気錠を解除するための電気錠解除部９０が設けられている。この電気錠解除部９０がカセット５１の扉５８の電気錠を解除することによりカセット５１の扉５８が解錠されるようになっている。また、装着部７６には、当該装着部７６に装着されたカセット５１のステージ６４の昇降を行う、モータ等の電動のアクチュエータからなるステージ昇降部９２が設けられている。
【００７０】
次に、図１２（ａ）（ｂ）に示すような構成からなる紙幣収納装置７０の動作について、図１２および図１３を用いて以下に説明する。なお、図１２（ｂ）〜（ｄ）および図１３（ａ）〜（ｄ）は、紙幣収納装置７０の内部構成をより明確に示すために、図１２（ａ）に示す紙幣収納装置７０から筐体７２の前面７２ａを取り除いたものである。
【００７１】
まず、店舗等に設けられた釣銭機等の貨幣入出金機（図示せず）に収容されたカセット５１が店員等によりこの貨幣入出金機から取り出される。この際に、カセット５１には紙幣が収納されている。より詳細には、カセット５１の筐体５２内において紙幣の束がステージ６４上に集積されており、この紙幣の束はステージ６４とこのステージ６４の上方にあるカセット５１の内壁との間で挟まれて保持されている。また、貨幣入出金機から取り出されたカセット５１は、その扉５８を開くことができないような状態となっており、店員等はカセット５１に収納された紙幣を取り出すことができないようになっている。
【００７２】
次に、店員等により貨幣入出金機から紙幣収納装置７０にカセット５１が運搬される。そして、図１２（ｂ）に示すように、店員等は、紙幣収納装置７０の装着部７６にカセット５１を上方から装着させる。この際に、装着部７６にはカセット５１の開口面（扉５８が設けられた面）が上向きとなるよう装着される。図１２（ｃ）は、装着部７６にカセット５１が装着されたときの状態を示す図である。図１２（ｃ）に示すような状態において、カセット５１は装着部７６に設けられた支持部材（図示せず）により支持されており、装着部７６が１８０°回転してカセット５１が下向きとなった場合でもカセット５１が自重により装着部７６から落下しないようになっている。
【００７３】
その後、店員等の操作者は、装着部７６の側面に設けられたハンドル部７８を回す。このことにより、図１２（ｄ）および図１３（ａ）に示すように、装着部７６は軸７６ａを中心として回転する。そして、図１３（ａ）に示すように、装着部７６が１８０°回転したら、平板部材８１の開口部７９の真上に、装着部７６に装着されたカセット５１の開口面（扉５８が設けられた面）が位置するようになる。
【００７４】
そして、図１３（ａ）に示すように、平板部材８１の開口部７９の真上に、装着部７６に装着されたカセット５１の開口面が位置するようになると、電気錠解除部９０は、カセット５１の扉５８の電気錠を解除する。このことにより、カセット５１の扉５８が解錠され、図１３（ｂ）に示すように、扉５８は自重により下方に開くこととなる。また、この際に、ステージ昇降部９２は、カセット５１のステージ６４を図５Ｂに示す状態から下方（矢印方向）に押し下げる。このようにして、ステージ６４上の紙幣の束Ｂがこのステージ６４とカセット５１の内壁との間に挟まれて保持された状態から解放される。ステージ６４とカセット５１の内壁との間に挟まれて保持された状態から解放された紙幣の束Ｂは自重により下方に落下し、開口部７９を介して収納部８０に収納される（図１３（ｂ）参照）。
【００７５】
その後、店員等の操作者がハンドル部７８を更に回す。このことにより、図１３（ｃ）（ｄ）に示すように、装着部７６は軸７６ａを中心として回転する。図１３（ｂ）に示すような状態から装着部７６を１８０°回転させると、装着部７６に装着されたカセット５１の開口面（扉５８が設けられた面）は上向きとなる。また、この際に、扉５８は自重により開いた状態から閉じた状態に戻り、扉５８は自動的に施錠されるようになる。その後、店員等の操作者は装着部７６から空のカセット５１を取り出す。このようにして、カセット５１内の紙幣を紙幣収納装置７０に収納させる一連の動作が終了する。
【００７６】
一方、店員等とは管理権限の異なる回収業者等は、紙幣収納装置７０内の収納部８０を回収することができるようになっている。より具体的には、回収業者等の操作者は、扉７４に設けられた錠部分７４ｂに対応する鍵を有しており、このような鍵により錠部分７４ｂを回転させることによって、扉７４の解錠を行う。このようにして、回収業者等の操作者は扉７４を開いて筐体７２内にアクセスすることができるようになり、筐体７２内に設けられた収納部８０を回収することとなる。また、回収業者等の操作者は、紙幣が収納された収納部８０を回収したときに、空の収納部８０を筐体７２内に設置する。
【００７７】
以上のように本実施の形態の紙幣収納装置７０によれば、カセット５１が装着される装着部７６と、カセット５１から取り出された紙幣を収納する収納部８０と、施錠されたカセット５１の扉５８を解錠し、収納部８０の開口の上で解錠された扉５８を開くカセット扉開放部（電気錠解除部９０等）と、を備えている。そして、装着部７６に装着されたカセット５１について、店員等の操作者が扉５８に触れなくても、カセット扉開放部により扉５８を開くことができるので、操作者がカセット５１内の紙幣に手を触れることのないような状態でカセット５１内の紙幣が収納部８０に収納される。このため、本実施の形態の紙幣収納装置７０でも、図１乃至図１１に示すような紙幣収納装置１０と同様に、セキュリティを向上させることができる。また、この紙幣収納装置７０では、ヒンジのついた扉５８を有するカセットにも対応することができる。
【００７８】
また、本実施の形態の紙幣収納装置７０においては、装着部７６にはカセット５１の開口面（扉５８が設けられた面）が上向きに装着されるようになっており、カセット扉開放部は、収納部８０の開口の上にカセット５１の開口面が位置するよう、装着部７６を回転させる回転機構を有している。具体的には、ハンドル部７８等によりこのような回転機構が構成される。
【００７９】
また、本実施の形態の紙幣収納装置７０においては、カセット５１の扉５８は電気的に解錠可能な電気錠によりロックされており、カセット扉開放部は、電気錠を解除することによりカセット５１の扉５８を解錠するような電気錠解除部９０を有している。このことにより、扉５８の解錠を自動的に行うことができる。また、ステージ昇降部９２により電気的な駆動によりカセット５１のステージ６４を昇降させることができるようになっている。このため、収納部８０の開口の上にカセット５１の開口面が位置するよう、装着部７６が図１３（ａ）に示すような状態になったときに、ステージ６４はステージ昇降部９２によって電気的な駆動によりカセット５１の内壁から離間し、この際にカセット５１に収納された紙幣がこのカセット５１の内壁とステージ６４との間に挟まれて保持された状態から解放される。このことにより、紙幣をカセット５１から排出することができるようになる。
【００８０】
また、本実施の形態の紙幣収納装置７０においては、カセット扉開放部により扉５８が開いたカセット５１から自重により紙幣が落下して収納部８０に収納されるようになっている。なお、図１２および図１３に示すような紙幣収納装置７０において、図１０Ｂに示すような押し出し部３６が追加的に設けられていてもよい。このような押し出し部３６が追加的に設けられている場合には、収納部８０の開口の上にカセット５１の開口面が位置するよう、装着部７６が図１３（ｂ）に示すような状態になったときに、押し出し部３６によりステージ６４上にある紙幣Ｂを下方に押し出し、カセット５１から収納部８０への紙幣の移動を促進することができる。
【００８１】
また、図１２および図１３に示すような紙幣収納装置７０では、回転機構はハンドル部７８等により構成されており、店員等の操作者がハンドル部７８を手動で操作することにより装着部７６が回転するようになっているが、このような例に限定されることはない。例えばカセット５１が装着部７６に装着されると装着部７６が自動的に回転するようになっていてもよい。また、筐体７２の上面や前面に操作ボタンが設けられており、カセット５１が装着部７６に装着された後に店員等の操作者が操作ボタンを押下することにより装着部７６が自動的に回転するようになっていてもよい。
【００８２】
なお、図１乃至図１１に示す紙幣収納装置１０の紙幣検出センサ２３と同様に、紙幣収納装置７０にも、装着部７６に装着されたカセット５１に紙幣が収納されているか否かを検出する紙幣検出センサが設けられていてもよい。
【００８３】
また、カセット５１の扉５８が電気的に解錠可能な電気錠によりロックされ、電気錠解除部９０によりこの電気錠を解除することによってカセット５１の扉５８を解錠する代わりに、扉５８に錠部分が設けられるとともに、この錠部分に対応する鍵部分が装置部７６に設けられるようになっていてもよい。この場合、装着部７６が回転して、収納部８０の開口の上にカセット５１の開口面が位置するような状態（図１３（ａ）参照）になったときにはじめて、装着部７６に設けられた鍵部分により扉５８の錠部分を回転させて扉５８の解錠を行うことができるようになっていてもよい。
【００８４】
図１２および図１３に示すような紙幣収納装置７０の更に他の例としては、装着部７６にカセット５１の開口面（扉５８が設けられた面）が上向きに装着される代わりに、装着部７６にカセット５１の開口面が下向き以外の他の向き（例えば、横向き等）に装着されるようになっていてもよい。
【００８５】
また、本実施の形態では、カセットに紙幣が収納されており、紙幣収納装置はカセットから紙幣を取り出して内部に収納する例について説明したが、本発明による貨幣収納装置はこのような例に限定されることはない。他の例として、カセットに貨幣として紙幣ではなく硬貨が収納されており、貨幣収納装置はカセットから硬貨を取り出して内部に収納するようになっていてもよい。更に他の例としては、カセットに紙幣および硬貨の両方が収納されており、貨幣収納装置はカセットから紙幣および硬貨の両方を取り出して内部に収納するようになっていてもよい。
【符号の説明】
【００８６】
１０  紙幣収納装置
１２  筐体
１２ａ  上面
１２ｂ  前面上部
１２ｃ  側面
１２ｄ  側面
１３  把持部
１４  扉
１４ａ  取っ手
１４ｂ  錠部分
１６  開口部
１７  装着部
１８  ハンドル部
２０  鍵部材
２０ａ  カム穴
２０ｂ  鍵部分
２１  平板部材
２２  固定部材
２２ａ  突起部分
２３  紙幣検出センサ
２３ａ  発光部分
２４  バネ
２６  ステージ押し下げ用棒
２８  開口部
３０  支持部材
３２  収納部
３２ａ  収納部本体
３２ｂ  粘着部分
３２ｃ  シール台紙
３２ｄ  端部
３３  一対のローラ
３６  押し出し部
５０  カセット
５１  カセット
５２  筐体
５４  把持部
５６  紙幣入口
５８  扉
６０  錠部分
６２  貫通穴
６４  ステージ
６６  ステージ押し下げ棒
７０  紙幣収納装置
７２  筐体
７４  扉
７４ａ  取っ手
７４ｂ  錠部分
７６  装着部
７６ａ  軸
７８  ハンドル部
７９  開口部
８０  収納部
８１  平板部材
９０  電気錠解除部
９２  ステージ昇降部
【図１】
2011138353.tif 000003
【図２】
2011138353.tif 000004
【図３】
2011138353.tif 000005
【図４】
2011138353.tif 000006
【図５Ａ】
2011138353.tif 000007
【図５Ｂ】
2011138353.tif 000008
【図６】
2011138353.tif 000009
【図７】
2011138353.tif 000010
【図８】
2011138353.tif 000011
【図９】
2011138353.tif 000012
【図１０Ａ】
2011138353.tif 000013
【図１０Ｂ】
2011138353.tif 000014
【図１１】
2011138353.tif 000015
【図１２】
2011138353.tif 000016
【図１３】
2011138353.tif 000017